(57)【要約】【課題】電気コード巻取装置の使用中に汚れを付着しにくくする。【解決手段】防汚カバー１０は、２枚の端板（前端板１１０及び後端板１２０）の間に電気コード３００が巻回される巻取ドラム１００を回転可能に支持する電気コード巻取装置の端板に着脱可能に装着するためのものである。この防汚カバー１０は、装着状態においてコンセント１１１を外部に露出させる開口１２が形成された樹脂シートからなるため、前端板１１０に装着した状態においても電気器具のプラグをコンセント１１１に差し込むことができる。したがって、防汚カバー１０を装着したまま電気コード巻取装置を使用することが可能となり、電気コード巻取装置の使用中に前端板１１０や後端板１２０の外面に汚れを付着しにくくすることができる。【選択図】図２
0003157835.tif 000002
【実用新案登録請求の範囲】
【請求項１】
少なくとも一方にコンセントが設けられた２枚の端板の間に電気コードが巻回される巻取ドラムを回転可能に支持する電気コード巻取装置の前記端板に着脱可能に装着するための防汚カバーであって、
装着状態において前記コンセントを外部に露出させる開口が形成された樹脂シートからなること
を特徴とする防汚カバー。
【請求項２】
前記端板の外縁部に適合する形状の湾曲部が外縁部に形成されていること
を特徴とする請求項１に記載の防汚カバー。
【請求項３】
前記湾曲部が外縁部全周に形成されていること
を特徴とする請求項２に記載の防汚カバー。
【請求項４】
前記開口から外縁部へ切り込みが形成されていること
を特徴とする請求項１から請求項３までのいずれか１項に記載の防汚カバー。
【請求項５】
前記端板における前記開口よりも外側に設けられた部材を外部に露出させる逃がし穴が形成されていること
を特徴とする請求項１から請求項４までのいずれか１項に記載の防汚カバー。
【請求項６】
前記開口は、円形の穴の円周上に前記コンセントの形状に対応する切欠きを形成した形状であること
を特徴とする請求項１から請求項５までのいずれか１項に記載の防汚カバー。
【考案の詳細な説明】
【技術分野】
【０００１】
本考案は、電気コード巻取装置に装着するための防汚カバーに関するものである。
【背景技術】
【０００２】
従来、屋外など電源コンセントから離れた場所で電動工具等の電気器具を使用するような場合に、電気コード巻取装置が利用されている（特許文献１参照）。
この種の電気コード巻取装置の一例を図３に示す。図３（ａ）は電気コード巻取装置の正面側斜視図、図３（ｂ）はその背面側斜視図である。
【０００３】
この電気コード巻取装置は、電気コード３００を巻き取るための巻取ドラム１００と、この巻取ドラム１００を回転可能に支持する支持フレーム２００とを備えている。
巻取ドラム１００は、円筒状をなす中筒の前後（正面側及び背面側）両端部にこの中筒よりも大径の２枚の端板（前端板１１０及び後端板１２０）が設けられたものであり、これら２枚の端板の間（中筒の外周部）に電気コード３００が巻回される。また、これら２枚の端板は、同一径の円形に形成されており、その外縁部は丸く湾曲させた形状（断面円形）に加工されている。また、これらは金属製が主流（この例では鉄製）であり、表面が塗装されている。
【０００４】
そして、２枚の端板のうちの一方（この例では前端板１１０）には、その中央部に開口が形成されており、電気器具のプラグを差し込むための防雨キャップ付きの３つのコンセント１１１と通電確認用のパイロットランプ１１２とが配置されたコンセント盤１１３が内側から取り付けられている（図３（ａ））。これらコンセント１１１及びパイロットランプ１１２は、中筒内で電気コード３００の基端部と電気的に接続されており、電気コード３００の巻き終わり側の先端部にはプラグ３０１が設けられている。また、前端板１１０におけるコンセント１１１よりも外縁寄りの位置には、巻取ドラム１００を回転操作するための巻取ハンドル１１４が設けられている。なお、後端板１２０には、防水カバー付きの漏電遮断器１２１が設けられている（図３（ｂ））。
【０００５】
一方、支持フレーム２００は、断面が円形の１本の金属製のパイプを曲げ加工することによって形成されたもので、パイプの先端部をほぼ水平状態に前方に向けた把手部２１１と、この把手部２１１の後端部から斜め下方に延びる第１傾斜部２１２と、この第１傾斜部２１２の下端部からコの字形をなす設置用の脚部２１３と、この脚部２１３から斜め上方に延びる第２傾斜部２１４と、第２傾斜部２１４の上端部からほぼ水平状態に前方に向けた支軸部２１５とを有している。そして、この支軸部２１５によって巻取ドラム１００が回転自在に取り付けられている。なお、把手部２１１には、握りやすいように樹脂製の把手カバー２２０が取り付けられている。
【０００６】
このような構成により、巻取ドラム１００に巻回された電気コード３００を引き出してそのプラグ３０１を電源コンセント（図示せず）に差し込み、使用する電気器具のプラグ（図示せず）を電気コード巻取装置のコンセント１１１に差し込むことにより、電源コンセントから離れた場所で電気器具を使用することができる。
【先行技術文献】
【特許文献】
【０００７】
【特許文献１】特開２００１−１１４４７３号公報
【考案の概要】
【考案が解決しようとする課題】
【０００８】
ところで、この種の電気コード巻取装置は、例えば建設現場などの作業現場における仮設電源として使用されることがあるが、こうした作業現場ではコンクリート打ちや塗装などの作業でセメントや塗料などが巻取ドラムに汚れとして付着することがあり、このような付着物は凝固するため簡単に除去することができなくなる。
【０００９】
このため、例えばこの種の電気コード巻取装置をレンタルするような事業においては、返却された電気コード巻取装置をその都度清掃する必要があり、強固に付着した汚れを除去しようとして端板表面の塗装がはがれてしまうという問題や、清掃作業に手間がかかるため清掃費用（人件費等）が高くなってしまうという問題があった。
【００１０】
本考案は、こうした問題にかんがみてなされたものであり、電気コード巻取装置の使用中に汚れを付着しにくくすることのできる防汚カバーを提供することを目的としている。
【課題を解決するための手段】
【００１１】
上記目的を達成するためになされた本考案の請求項１に記載の防汚カバーは、少なくとも一方にコンセントが設けられた２枚の端板の間に電気コードが巻回される巻取ドラムを回転可能に支持する電気コード巻取装置の端板に着脱可能に装着するためのものであって、装着状態においてコンセントを外部に露出させる開口が形成された樹脂シートからなる。
【００１２】
このような防汚カバーでは、端板に装着した状態においても電気器具のプラグをコンセントに差し込むことができるため、防汚カバーを装着したまま電気コード巻取装置を使用することが可能となる。したがって、電気コード巻取装置の使用中に汚れを付着しにくくすることができる。また、本考案の防汚カバーは、端板に強固に付着した汚れを除去するための清掃費用に比べて低コストで製造することが可能であり、汚れが付着した場合には容易に交換することができるため、電気コード巻取装置の管理費（維持費）を大幅に低減することができる。
【００１３】
ところで、電気コード巻取装置の端板に対する防汚カバーの装着は、ビスやテープ等の別部材を用いて行うことも考えられるが、例えば請求項２に記載のように端板の外縁部に適合する形状の湾曲部が外縁部に形成されていれば、別部材や取付工具等を用いることなく端板に装着することが可能となる。
【００１４】
特に、例えば請求項３に記載のように湾曲部が外縁部全周に形成されていれば、端板に強固に装着することが可能となるとともに、外縁部全周において端板への汚れの付着を防止することができる。
【００１５】
一方、例えば請求項４に記載のように開口から外縁部へ切り込みが形成されていれば、例えば巻取ドラムの回転軸となる部材など、開口に通すことが困難な部材についても切り込みを介して容易に開口に通すことができる。特に、請求項３に記載のように湾曲部が外縁部全周に形成されているものでは、強固な装着が可能となる反面、着脱が困難となることも考えられるが、請求項４に記載のように切り込みが形成されていれば着脱を容易に行うことができる。
【００１６】
また、例えば請求項５に記載のように、端板における開口よりも外側に設けられた部材を外部に露出させる逃がし穴が形成されていれば、端板に巻取ハンドルなどの部材が設けられている場合にも逃がし穴から外部に露出させることができるため、防汚カバーを装着していない状態と同様に電気コード巻取装置を使用することが可能となる。
【００１７】
さらに、例えば請求項６に記載のように、開口が、円形の穴の円周上にコンセントの形状に対応する切欠きを形成した形状であれば、コンセントの形状に応じて開口による露出面積をできるだけ小さくすることが可能となり、汚れを一層付着しにくくすることができる。
【図面の簡単な説明】
【００１８】
【図１】（ａ）は実施形態の防汚カバーの正面図、（ｂ）は（ａ）のＡ−Ａ断面図である。
【図２】（ａ）は実施形態の防汚カバーを装着した状態の電気コード巻取装置の正面側斜視図、（ｂ）はその背面側斜視図である。
【図３】（ａ）は従来の電気コード巻取装置の正面側斜視図、（ｂ）はその背面側斜視図である。
【考案を実施するための形態】
【００１９】
以下、本考案が適用された実施形態について、図面を用いて説明する。
図１（ａ）は本実施形態の防汚カバー１０の正面図、図１（ｂ）は図１（ａ）のＡ−Ａ断面図である。また、図２（ａ）は本実施形態の防汚カバー１０を装着した状態の電気コード巻取装置の正面側斜視図、図２（ｂ）はその背面側斜視図である。なお、本実施形態の防汚カバー１０は、前述した従来の電気コード巻取装置（図３（ａ），（ｂ））を装着対象として設計されたものである。
【００２０】
この防汚カバー１０は、電気コード巻取装置の２枚の端板（前端板１１０及び後端板１２０）のいずれにも装着（着脱）することができるように設計されており、また、装着状態においても未装着状態と同様に電気コード巻取装置を使用することができるように設計されている。
【００２１】
具体的には、防汚カバー１０は、可撓性の透明な樹脂シート（本実施形態では厚さ０．３ｍｍのＡ−ＰＥＴ(Amorphous Polyethylene Terephthalate)シート）を前端板１１０及び後端板１２０とほぼ同一径の円形に形成したものであり、その外縁部には前端板１１０及び後端板１２０における外縁部の形状（断面円形）に全周にわたって適合するように断面半円形に湾曲した絞り部１１が形成されている（図１（ｂ））。なお、図１（ｂ）では、説明の便宜上、前端板１１０に装着した状態の防汚カバー１０の断面形状を示している。
【００２２】
また、防汚カバー１０における中央部には、当該防汚カバー１０が前端板１１０に装着された状態でコンセント盤１１３（３つのコンセント１１１及びパイロットランプ１１２）を外部に露出させることのできる開口１２が形成されている。この開口１２は、円形の穴の円周上に３つの切欠き１３を設けた形状となっており、これら３つの切欠き１３は、防汚カバー１０が前端板１１０に装着された状態で３つのコンセント１１１の突出部を避ける位置に形成されている。
【００２３】
さらに、防汚カバー１０における開口１２よりも外縁寄りの位置には、当該防汚カバー１０が前端板１１０に装着された状態で巻取ハンドル１１４を外部に露出させることのできる逃がし穴１４が形成されている。
【００２４】
加えて、防汚カバー１０には、開口１２から外縁部へ半径方向に逃がし穴１４の中心を通る直線状の切り込み１５が形成されている。このため、防汚カバー１０を後端板１２０に装着する際には、切り込み１５の両側端部を相反する方向に開いて支持フレーム２００の支軸部２１５を切り込み１５を介して開口１２へ挿入することができ、これにより防汚カバー１０を後端板１２０に容易に装着することができる。
【００２５】
ちなみに、防汚カバー１０の表面（例えば図１（ａ）の符号１６に示す位置）には、商品名や会社名等を表示することが可能である。
なお、本実施形態の防汚カバー１０は、アルミニウム製の金型の上部に樹脂シート（Ａ−ＰＥＴシート）を置き、金型に形成した小穴から空気を吸い込むことで真空状態として樹脂シートを金型形状に沿って変形させ（真空成形）、変形した樹脂シートをトムソン型にてカットすることで安価に製造することができる。
【００２６】
以上説明したように、本実施形態の防汚カバー１０は、装着状態においてコンセント１１１を外部に露出させる開口１２が形成された樹脂シートからなるため、前端板１１０に装着した状態においても電気器具のプラグをコンセント１１１に差し込むことができる。したがって、防汚カバー１０を装着したまま電気コード巻取装置を使用することが可能となり、電気コード巻取装置の使用中に前端板１１０や後端板１２０の外面に汚れを付着しにくくすることができる。また、本実施形態の防汚カバー１０は、前端板１１０や後端板１２０に強固に付着した汚れを除去するための清掃費用に比べて低コストで製造することができ、汚れが付着した場合には容易に交換することができるため、電気コード巻取装置の管理費（維持費）を大幅に低減することができる。
【００２７】
また、本実施形態の防汚カバー１０は、前端板１１０及び後端板１２０の外縁部に適合する形状の絞り部１１が外縁部に形成されているため、ビスやテープ等の別部材や取付工具等を用いることなく前端板１１０及び後端板１２０に装着することができる。特に、絞り部１１が外縁部全周に形成されているため、前端板１１０及び後端板１２０に強固に装着することができるとともに、外縁部全周において汚れの付着を防止することができる。
【００２８】
さらに、本実施形態の防汚カバー１０は、開口１２から外縁部へ切り込み１５が形成されているため、防汚カバー１０を後端板１２０に装着する際には、支持フレーム２００の支軸部２１５を切り込み１５を介して開口１２へ挿入することができ、着脱を容易に行うことができる。
【００２９】
一方、本実施形態の防汚カバー１０は、逃がし穴１４が形成されており、この逃がし穴１４から巻取ハンドル１１４を外部に露出させることができるため、防汚カバー１０を装着していない状態と同様に電気コード巻取装置を使用することができる。
【００３０】
加えて、本実施形態の防汚カバー１０は、開口１２が、円形の穴の円周上にコンセント１１１の形状に対応する切欠き１３を形成した形状であり、コンセント１１１の形状に応じて開口１２による露出面積ができるだけ小さくなるように設計されているため、汚れを一層付着しにくくすることができる。
【００３１】
以上、本考案の実施形態について説明したが、本考案は、上記実施形態に限定されることなく、種々の形態を採り得ることは言うまでもない。
例えば、上記実施形態の防汚カバー１０には、開口１２に切欠き１３が形成されているが、これに限定されるものではなく、切欠き１３を有しない形状（例えば一回り大きい円形）とすることも可能である。
【００３２】
また、上記実施形態の防汚カバー１０には、開口１２とは別に逃がし穴１４が形成されているが、これに限定されるものではなく、１つの開口のみが形成されたものであってもよい。例えば、前端板１１０用の防汚カバーと後端板１２０用の防汚カバーとを別形状として、後端板１２０用の防汚カバーには逃がし穴を形成しないようにすることも可能である。
【００３３】
さらに、上記実施形態の防汚カバー１０には、開口１２から外縁部へ切り込み１５が形成されているが、これに限定されるものではなく、切り込みを有しないものであってもよい。例えば、前端板１１０用の防汚カバーと後端板１２０用の防汚カバーとを別形状として、前端板１１０用の防汚カバーには切り込みを形成しないようにすることも可能である。
【００３４】
一方、上記実施形態の防汚カバー１０には、外縁部全周に絞り部１１が形成されているが、これに限定されるものではなく、外縁部の一部のみに絞り部１１が形成されていてもよい。また、外縁部に絞り部１１を形成せずに他の方法で装着することも可能である。
【００３５】
加えて、上記実施形態では、図３（ａ），（ｂ）に示すような電気コード巻取装置を装着対象とした防汚カバー１０を例示したが、これに限定されるものではなく、本考案は、これ以外の電気コード巻取装置を装着対象とした防汚カバーにも適用することができる。
【符号の説明】
【００３６】
１０…防汚カバー、１１…絞り部、１２…開口、１３…切欠き、１４…逃がし穴、１５…切り込み、１００…巻取ドラム、１１０…前端板、１１１…コンセント、１１３…コンセント盤、１１４…巻取ハンドル、１２０…後端板、２００…支持フレーム、２１１…把手部、２１３…脚部、２１５…支軸部、３００…電気コード、３０１…プラグ
【図１】
0003157835.tif 000003
【図２】
0003157835.tif 000004
【図３】
0003157835.tif 000005